(57)【特許請求の範囲】
【請求項１】
画像データをデジタル入力するとともに、基準値が計測済みの少なくとも１個の色比較パラメータを保存し、ターゲット画像において所定の補正範囲を指定し、その補正範囲について画像データの座標を基に補正位置を定め、その補正位置において記入した補正目的値に基づいてカラーマッチングさせ、さらに前記の色比較パラメータの色相データを該パラメータの基準値と比較し、その色相誤差を補正基準値としてデータ補正を加えることにより、ターゲット画像の適正な色空間を再現する色補正方法。
【請求項２】
画像データをデジタル入力するとともに、基準値が計測済みの少なくとも１個の色比較パラメータを保存し、ターゲット画像において所定の補正範囲を指定し、その補正範囲について画像データの座標を基に補正位置を定め、その補正位置において測色機による実測値から適正な色情報を抽出してカラーマッチングさせ、さらに前記の色比較パラメータの色相データを該パラメータの基準値と比較し、その色相誤差を補正基準値としてデータ補正を加えることにより、ターゲット画像の適正な色空間を再現する色補正方法。
【請求項３】
画像データは、目的画像をアナログカメラで撮影してからデジタルデータに変換するか、またはスキャナ、ビデオカメラ、デジタルカメラなどによってデジタル入力され、この画像データをＣＭＹＫ、ＲＧＢまたはＬａｂ形式で表現する請求項１または２記載の色補正方法。
【請求項４】
アドインソフトとして画像編集ソフトに組み込み、色比較パラメータの基準値が画像編集ソフトに付属するデータベースである色補正方法であって、画像データを入力するとともに少なくとも１個の色比較パラメータを保存し、ターゲット画像で指定した補正範囲について画像データの座標を基に補正位置を定め、その補正位置において記入した補正目的値または測色機による実測値から適正な色情報を抽出してカラーマッチングさせ、さらに前記の色比較パラメータの色相データを付属データベースの基準値と比較し、その色相誤差を補正基準値としてデータ補正を加えることにより、ターゲット画像の適正な色空間を再現する色補正方法。
【請求項５】
色比較パラメータは、カラーパッチ、カラーチャート、色見本などであり、測色機などによってあらかじめ色比較パラメータの基準値を計測して保存しておく請求項１、２または４記載の色補正方法。
【請求項６】
色比較パラメータは、画像データの入力時に同時にデジタル入力したり、または同一の入力環境において別個にデジタル入力して保存しておく請求項１、２または４記載の色補正方法。
【請求項７】
色比較パラメータの基準値をあらかじめ計測しておき、デジタル入力した画像データの座標を基に定めた補正位置において、記入した補正目的値または測色機による実測値から適正な色情報を抽出してカラーマッチングさせ、さらに色比較パラメータの色相データを該パラメータの基準値と比較して画像データの全領域について色濃度を修正した後に、種々の個人要素である好み係数を追加する際に、人間一人一人で相違する感覚と計算上の画像補正量との差を算出してプロファイル化して色修正係数を演算することにより、ターゲット画像のリニアーな色表現を再現する色補正方法。
【発明の詳細な説明】
【０００１】
【発明の属する技術分野】
本発明は、ターゲット画像についてリニアーな色表現を再生しおよび校正者の好みなどを加味した色再現を迅速且つ安定して達成させる色補正方法に関し、多重補正による画質低下を防ぎ、画像編集ソフトのアドインソフトとしてまたはカラープリンタ、カラースキャナ、デジタルカメラなどに組み込んで的確な色再現を行う色補正技術に関する。
【０００２】
【従来の技術】
アナログ画像処理では、アナログカメラで被写体を撮影し、これを色や波長などの光要素および光強度を含む画像によって表現する。この撮影時には、種々の表現要素の差異によって被写体と入力データとの間に色相誤差が発生する。
【０００３】
例えば、被写体の照射条件について、直接照射、間接照射、通過フィルタの光通過特性、光源数、光源の種類などによって画像表現が異なる。使用フィルムについて、フィルムの光感知域および光感度、フィルム現像時の特性差などによっても画像表現が異なってくる。また、カメラの光量や光照射時間、被写体、光源、カメラの撮影角、カメラのレンズ特性やレンズ焦点距離などによって画像が影響を受ける。
【０００４】
このため、アナログカメラ撮影によるカラー印刷の分野では、仕上がりの色調を補正することが必要である。熟練オペレータが試し刷りのカラー頁を目視し、各部分の色調が原稿の色調と一致しているか否かまたは撮影された実物の色調と合致しているか否かなどを判定し、一部分の色調について色彩混合比の補正を行って所望のカラー印刷を得る。
【０００５】
カラー印刷では、前記のように、熟練オペレータが複雑な操作を実行しながら色補正するために相当の時間を要しても、熟練オペレータは最終的に希望どおりの色補正を行える。この反面、未経験のオペレータでは、このような色補正を行えず、しかもいっそう長時間を要するので実施不可能である。それ故に、コンピュータの出力画面などを見ながら、経験の浅いオペレータがマウス操作によって所望の画像領域を指定し、その画像領域の色相を数値記入などで簡単に修正できるような技術の開発が望まれている。
【０００６】
【発明が解決しようとする課題】
既に、ターゲット画像の色相を容易に修正できるように、アナログカメラで撮影したアナログ画像をスキャナなどによって読み取り、デジタルデータに変換してから画像編集ソフトを利用することも行われている。このデータ変換時には、スキャナなどの光源が波長や光度に関して撮影光源と一致しないことで入力データに色相誤差が発生しやすい。このような色相誤差は、受光管、ＣＣＤ、フォトトランジスタなどの受光素子に関する光特性および機差、光源から受光素子までの光経路および光通過特性などでも発生する。
【０００７】
しかも、デジタルデータにおける従来の色相修正は、画像編集ソフトにおいて曖昧な感覚値に依存する相対値で行うため、未経験のオペレータでは適正な色補正を行えないことは従来と全く同様である。不正確な色補正を多数回繰り返すと、各補正処理時にデータの小数点以下の値を四捨五入することによって桁落ち現象が発生し、データ劣化が著しく強調されてしまう。
【０００８】
本発明は、従来のアナログ画像処理および相対値によるデータ補正に関する前記の問題点を改善するために提案されたものであり、デジタル画像について迅速で的確な色補正を行う方法を提供することを目的としている。本発明の他の目的は、ターゲット画像中に所定の補正範囲を指定し、カラーマッチングの後に補正基準値による補正を加えることにより、相対値および絶対値による補正を可能とする色補正方法を提供することである。
【０００９】
本発明の別の目的は、画像入力時に同時または同一環境で別個に計測した色比較パラメータを保存することにより、画像全体を修正する際の変動要素を取り除く色補正方法を提供することである。本発明のさらに別の目的は、色比較パラメータに関して測定値と基準値との偏差をデータプロファイル化することでリニアーな濃度補正を行う色補正方法を提供することである。本発明のさらに別の目的は、実際の感覚値との差異および種々の個人要素をデータプロファイル化することにより、色修正係数を演算する色補正方法を提供することである。
【００１０】
【課題を解決するための手段】
上記目的を達成するために、本発明に係る色補正方法は、画像データを入力するとともに、基準値が計測済みの少なくとも１個の色比較パラメータを保存し、ターゲット画像において所定の補正範囲を指定し、その補正範囲について画像データの座標を基に補正位置を定める。この色補正方法では、所定の補正位置においてカラーマッチングさせ、さらに前記の色比較パラメータの色相データを該パラメータの基準値と対応させる。画像データは、目的画像をアナログカメラで撮影してからデジタルデータに変換するか、またはスキャナ、ビデオカメラ、デジタルカメラなどによって入力され、この画像データをＣＭＹＫ、ＲＧＢ、Ｌａｂ、Ｙｘｙ、ＨＳＬ、ＬｕｖまたはＸＹＺ形式で表現すればよい。
【００１１】
本発明方法において、所定の補正位置におけるカラーマッチングは、記入した補正目的値に応じて行っても、測色機による実測値から適正な色情報を抽出して行っても、両者を組み合わせて処理してもよい。例えば、カラーマッチングは、測色機で実測した位置情報と色情報に基づいて画像データの色情報を抽出することで局部的なデータ補正を行い、さらに前記の色比較パラメータの色相データを該パラメータの基準値と測色機で実測した位置情報と色情報に基づいて画像データの色情報を抽出し、その色相誤差を補正基準値として画像全体を修正すると好ましい。
【００１２】
用いる色比較パラメータは、カラーパッチ、カラーチャート、色見本などであり、該パラメータの基準値は測色機などによってあらかじめ計測して保存している。色比較パラメータは、画像データの入力時に同時にデジタル入力したり、または同一の入力環境において別個にデジタル入力して保存しておけばよい。
【００１３】
本発明方法では、カラーマッチングの後に、追加色補正として色比較パラメータの測定値とその基準値との偏差を濃度０〜１００％までプロファイル化し、画像データの１情報ずつ補正することで画像データの全ての領域について色濃度を修正することが好ましい。ついで、画像の特性を保ちながらハイライトおよびシャドウ補正を行うと好ましい。色濃度補正のプロファイル化は、色比較パラメータ例えばカラーパッチの測定値とその基準値との偏差を濃度０〜１００％まで入力し、自由曲線を描いて平均化させた補正基準のデータベースからなり、蓄積したデータをメモリなどの記憶装置に保存する。
【００１４】
本発明方法では、画像全体のカラーマッチングと濃度補正の後に、計算上の画像補正量と実際の感覚値との差を算出してプロファイル化することにより、色修正係数を絶対値または相対値で演算すると好ましい。感覚係数のプロファイル化は、画像の被写体別に数多くの事例を入力して自由曲線を描いて平均化させた補正基準のデータベースからなり、蓄積したデータを記憶装置に保存しておく。
【００１５】
さらに、本発明方法では、種々の個人要素もプロファイル化することにより、色修正係数を絶対値または相対値で演算し、ターゲット画像のリニアーな色表現を再現すると好ましい。好み係数のプロファイル化は、画像校正者別に数多くの事例を入力して自由曲線を描いて平均化させた補正基準のデータベースからなり、蓄積したデータを記憶装置に保存しておく。
【００１６】
【発明の実施の形態】
本発明に係る色補正方法は、目的画像をデジタルデータに変換し、記入した補正目的値または測色機による実測値から適正な色情報を抽出してカラーマッチングさせ、これによって画像データを相対値で補正することによって迅速且つ的確に処理する。また、本発明の色補正方法は、相対値による補正の後に、さらに加色、減色などの色補正を絶対値で的確且つ安定して行うことができる。
【００１７】
画像データは、データフォーマットがＣＭＹＫ、ＲＧＢ、Ｌａｂ、Ｙｘｙ、ＨＳＬ、ＬｕｖまたはＸＹＺ形式などのいずれでもよく、入力後に相互に変換することも可能である。この色補正方法は、画像編集ソフトのアドインソフトとして、またはカラープリンタ、カラースキャナ、デジタルカメラなどに組み込むことが可能である。
【００１８】
本発明方法において、色比較パラメータは、公知のカラーパッチ、カラーチャート、色見本などである。色比較パラメータは、画像データの入力時に同時にデジタル入力したり、または同一の入力環境において別個または他日にデジタル入力して保存しておけばよい。色比較パラメータの基準値は、測色機などによってあらかじめを計測して保存したり、実質的に基準値に相当する他のデータベースを利用することを要する。
【００１９】
色比較パラメータに関して、測色機などによってあらかじめ色比較パラメータの基準値を計測する場合、例えば、ＣＭＹＫ形式の色見本などであれば、Ｃ（シアン）、Ｍ（マゼンダ）、Ｙ（イエロー）、Ｋ（黒）についてそれぞれ０〜１００％を計測し、該パラメータの基準値を作成する。実際には、色見本などを測色機によって計測し、色比較パラメータの基準値を作成してから、入力値との色相誤差を補正基準値とすることで色補正を行う。
【００２０】
色比較パラメータの基準値として利用可能なデータベースは、例えば、この色補正ソフトを画像編集ソフトに組み込んだ場合、その画像編集ソフトが備えるデータベースであり、各社のカラープリンタ、グラビア，凸版，オフセット印刷機や輪転機または付属モニタごとにプロファイル化されている。この色補正ソフトを撮影機のデジタルカメラ、カラースキャナ、ビデオカメラなどに組み込む場合には、当該機器に搭載するメモリに保存されたデータベースであり、所望のカラープリンタまたは付属の液晶モニタに適するようにプロファイル化されている。また、この色補正ソフトをカラープリンタ、グラビア，凸版，オフセット印刷機や輪転機自体に組み込むならば、付設するメモリに保存されたデータベースであり、その機器に適するようにプロファイル化されている。
【００２１】
本発明方法で用いる測色機は、色彩計とも称し、光源としてキセノンランプやハロゲンランプを用いて安定化を図り、測色時に基準光源を点灯して使用する。基準光源は、安定化を実現するためにランプ照度のクローズドループ制御を行い、例えば、光源の基準光のみを通すバンドフィルタを取り付けて測色するとともに、ＣＣＤ、フォトトランジスタ、フォトマルチプライヤなどで計測して定めた基準光強度を保つように、電圧、電流、周波数、パルス幅などを下辺にして光源を制御する。
【００２２】
本発明方法では、所定の補正位置において、記入した補正目的値に応じて、または測色機による実測値から適正な色情報を抽出してカラーマッチングさせる。このカラーマッチングは、画像データの色情報に関して、補正目的値または測色機による実測値に基づいて色情報を抽出して局部的に行う。さらに、その補正位置において、色比較パラメータの色相データを該パラメータの基準値と比較し、その色相誤差を補正基準値とすることによってデータ補正を追加する。補正目的値は、測色機を使用しない場合に使用するか、または測色機の実測値と組み合わせて入力すればよい。
【００２３】
本発明方法を図１のフローチャートに従って説明し、図１のフローチャートは、測色機による実測値から適正な色情報を抽出してカラーマッチングさせる実施態様である。Ｓ１では、画像データの入力を目的画像をアナログカメラで撮影してからデジタルデータに変換するか、またはスキャナなどによってデジタル入力し、この画像データをＣＭＹＫ、ＲＧＢ、Ｌａｂ、Ｙｘｙ、ＨＳＬ、ＬｕｖまたはＸＹＺ形式で表現する。
【００２４】
少なくとも１個の色比較パラメータは、Ｓ２において、画像データの入力と同時に入力され、画像データと同様のフォーマット形式で保存する。この色比較パラメータの基準値は、測色機によってあらかじめ計測しておく（Ｓ３参照）。例えば、ＣＭＹ（Ｋ）０〜１００％について、顔料、染料などの着色用インクを用いて単色および複合色（混合色）を紙などの反射体（転写母材）に転写し、この転写色見本を測色機によって計測し、色比較パラメータの基準値を作成する。
【００２５】
Ｓ４では、入力した画像データにおいて、色補正すべきターゲット画像を選択する。例えば、ＣＭＹＫ形式の画像データであれば、ＣＭＹＫ形式における画像Ｃの１情報データつまりＸＹ座標（位置情報）とＺ座標（色情報）で位置を定め、複数の色についての位置情報を基に色補正の精度を高める。これは画像Ｍ、Ｙ、Ｋについても同様である。また、データフォーマットがＲＧＢ形式、Ｌａｂ形式などであっても同様に扱うことができる。
【００２６】
補正目的値は、ターゲット画像の選択後にＳ５で記入し、測色機によって実測値から色情報を抽出する場合には記入しなくてもよい。補正目的値は、絶対値または相対値で指定し、デジタルデータの絶対値指定によって色相誤差を最小限に抑えることができる。
【００２７】
ターゲット画像を色補正する際に、それ以外の部分にも色補正が影響して色変化するのを防ぐため、Ｓ６において、切り抜きパスによってターゲット画像中に所定の補正範囲を指定する。この補正範囲について、画像データの座標を基に正確な補正位置を定める。切り抜きパスを行うことにより、画像中の単数ごとまたは複数同時に補正することが可能となり、細かい絶対値補正を行うことが可能となる。この切り抜きパスは、例えば、Ｐｈｏｔｏｓｈｏｐ５では四方寸法で最高３００００ピクセルまでサポートしており、ハードの進歩によってソフトで扱い可能なデータエリアは飛躍的に増大していく。
【００２８】
この補正位置において、実物と画像データとの誤差を測定するために、測色機によって実際の画像を測色して実測値を入力する（Ｓ７）。Ｓ８では、実測した位置情報と色情報に基づいて、実物の測定座標における画像データの色情報を抽出し、記入した補正目的値に相当する実測値に基づいて相対値で加減演算する。この位置情報と色情報はＣＭＹＫ、ＲＧＢ、Ｌａｂ形式などのいずれかであればよい。この結果、この補正位置において、Ｓ９で実測値から適正な色情報を抽出し、実物と画像データの１点についてカラーマッチングでき、局部的なデータの相対的な補正を行うことができる。
【００２９】
切り抜きパスにおいて、実物と画像データの１点ではカラーマッチングできても、このカラーマッチングは相対的な補正であるから、これを演繹して画像全体を単純にカラーマッチングさせると色補正が不正確になる。このため、Ｓ１０においてＳ２で保存した色比較パラメータを読み出し、且つＳ３で計測済みの色比較パラメータの基準値を読み出す。Ｓ１０で読み出した色比較パラメータの色相データは、Ｓ１１で該パラメータの基準値と対応させる。例えば、基準印刷物の色比較パラメータであるカラーチャートのＣＭＹＫ値データを該カラーチャートのＣＭＹＫ値の基準値と比較し、その色相誤差を補正基準値とする。そしてＣ：０〜１００％、Ｍ：０〜１００％、Ｙ：０〜１００％、Ｋ：０〜１００％およびＣＭＹＫ組み合わせ差をカラーチャートの基準値に基づいて絶対値で追加補正することにより、画像データについて撮影から基本色補正が完了するまでの変動要素を取り除いて画像全体を修正する。
【００３０】
基本色補正のように、色比較パラメータの色相データを該パラメータの基準値と対応させるだけであると、撮影条件によって正確な色表現を再現できないことがある。例えば、ターゲット画像の一面だけを白く表現したい場合などに基本色補正を行うと、ＣＭＹＫ形式のデータ０，０，０，０％の値デルタにより、白が白の外の色になる現象があり、黒についても黒以外になることがある。このため、Ｓ１２では、色比較パラメータの測定値とその基準値との偏差を濃度０〜１００％までプロファイル化し、画像データの全ての領域について色濃度を追加補正する。
【００３１】
一例として、図２に示す濃度マトリックスでは、Ｃ画像についてカラーパッチの測定値とその基準値との偏差（デルタ）を０〜１００％までデータプロファイルとして扱い、画像データのピクセル、ドット、ラインなどの１情報ごとにデータ補正する。これはＣＭＹＫ方式におけるＭＹＫについても同様であり、ＲＧＢやＬａｂ方式でも同様に行える。色濃度補正のプロファイル化は、カラーパッチの測定値とその基準値との偏差を濃度０〜１００％まで入力し、自由曲線を描いて平均化させた補正基準のデータベースからなり、Ｍ１２で蓄積したデータをメモリなどの記憶装置に保存し、適宜データ追加と変更を行うことによって的確な色濃度補正を達成する。
【００３２】
Ｓ１３では、画像の特性を維持しながら、図２の濃度マトリックスに示すように所定範囲の濃度を強くまたは緩やかに追加補正する。このようなハイライトおよびシャドウ補正は、黒色がＣＭＹＫ方式でＣＭＹが各１００％、白色がＣＭＹＫ各０％になるように追加補正し、図面補正において絶対色を保持させる。
【００３３】
ターゲット画像において、目的色と現実の色とのミスマッチを避けるために、Ｓ１４で人間の感覚係数を追加する。この感覚係数は、独特な感覚が生じる人間の顔面や掌、繊維、果物、肉、魚、家具、ガラスなどに数多くに分類して保存すると好ましい。Ｓ１４では、計算上の画像補正量と実際の感覚値との差を算出してプロファイル化し、色修正係数を演算してターゲット画像を追加補正する。感覚係数のプロファイル化は、画像の被写体別に事例を入力して自由曲線を描いて平均化させた補正基準のデータベースからなり、Ｍ１４で蓄積したデータをメモリなどの記憶装置に保存し、適宜データ追加と変更を行うことによって的確な追加補正を達成する。
【００３４】
さらに、Ｓ１５で種々の個人要素である好み係数を追加すると好ましい。この好み係数は、画像校正者やカタログ依頼者の色彩感覚であり、人間一人一人で相違する感覚と計算上の画像補正量との差を算出してプロファイル化する。好み係数のプロファイル化は、画像校正者やカタログ依頼者別に数多くの事例を入力して自由曲線を描いて平均化させた補正基準のデータベースからなり、Ｍ１５で蓄積したデータを記憶装置に保存する。Ｓ１５は、Ｓ１４と同じデータベースにまとめ、１プロセスで処理することも可能である。
【００３５】
【実施例】
次に、本発明を実施例に基づいて説明するが、本発明は実施例に限定されるものではない。
【００３６】
本発明の色補正方法は、図３に示すようなフローチャートに従って処理してもよく、図４は画像編集ソフト１（商品名：Ｐｈｏｔｏｓｈｏｐ５、アドビ社製）のアドインソフトにする例である。この例では、色比較パラメータ例えば色見本の基準値は、Ｓ２０において、画像編集ソフトに付属する各社のインキ別、プリンタ別、モニタ別などに分類して保存されたデータベースを利用し、これは同一環境で別個に計測した色比較パラメータに相当する。
【００３７】
本発明方法を図３のフローチャートに従って説明すると、Ｓ２１で、スキャナなどによって画像データ２をデジタル入力し、この例では画像データ２をＬａｂ形式で表現する。色比較パラメータは色見本であり、Ｓ２２において、画像データ２の入力と同時に入力され、画像データ２と同様のＬａｂ形式で保存する。Ｌａｂ形式のほかにも、ＣＭＹＫやＲＢＧ形式などに表現することが可能である。
【００３８】
本発明の色補正方法であるアドインソフトを開いてから、Ｓ２３では、入力した画像データ２において、色補正すべきターゲット画像を選択する。ターゲット画像の選択後に、補正目的値をＳ２４で記入する。この際に、図４に例示するように、Ｃｏｌｏｒ  Ａｄｊｕｓｔｅｒのウィンドウ３が開き、補正目的値を値記入欄５に直接またはマウスでドラッグして記入できる。
【００３９】
補正目的値は、Ｌａｂ形式で色見本出力の基準値に対して、Ｌ：０〜１００％、ａ：０〜１００％、ｂ：０〜１００％の各色について、所望の出力％を記入する。この補正目的値は、絶対値または相対値のいずれの値でも入力することが選択可能である。
【００４０】
次にターゲット画像を選択すると、切り抜きパスが自動的に定まる。Ｓ２５において、この切り抜きパスにより、ターゲット画像中に所定の補正範囲を指定する。この補正範囲について、画像データ２の座標を基に正確な補正位置を定める。切り抜きパスを行うことにより、画像中の単数ごとまたは複数同時に補正することが可能となる。この切り抜きパスは、例えば、Ｐｈｏｔｏｓｈｏｐ５では四方寸法で最高３００００ピクセルまでサポートしている。
【００４１】
この補正位置において、Ｓ２６では、画像編集ソフトの色情報に基づいて画像データ２の位置情報と色情報を抽出し、記入した補正目的値に応じて絶対値または相対値で加減演算する。この結果、この補正位置において、Ｓ２７で適正な色情報を抽出してカラーマッチングでき、局部的なデータ補正を行う。
【００４２】
次に、Ｓ２８において、Ｓ２２で保存した色比較パラメータを読み出し、且つＳ２０の画像ソフトのデータベースから色見本の基準値を読み出す。Ｓ２８で読み出した色見本の色相データは、Ｓ２９で該色見本の基準値と対応させる。例えば、色見本のＬａｂ値データを該色見本のＬａｂ値の基準値と比較し、その色相誤差を補正基準値とする。そしてＬ：０〜１００％、ａ：０〜１００％、ｂ：０〜１００％およびＬａｂ組み合わせ差を色見本の基準値によって絶対値で追加補正することにより、画像データ２について撮影から基本色補正が完了するまでの変動要素を取り除いて画像全体を修正する。
【００４３】
このアドインソフトでは、ターゲット画像について、リニアーな色表現の再生および目的色と現実の色とのミスマッチを避けるために、前記と同様に、濃度補正、人間の感覚係数および好み係数を追加する。
【００４４】
【発明の効果】
本発明に係る色補正方法は、従来では画像全体を曖昧な感覚値で補正していたのに対し、アナログ画像をデジタルデータに置き換え、各種のデータフォーマットに入力し、画像データの補正位置を定めてから相対値および絶対値で補正することで精度を高め、特に絶対値制御によって的確な補正を行うことができる。本発明の色補正方法では、ＣＭＹＫ形式などによる基準印刷物またはカラーチャート出力などの基準に対し、Ｃ：０〜１００％、Ｍ：０〜１００％、Ｙ：０〜１００％、Ｋ：０〜１００％の色について、それぞれ出力％における測色機の測定値とのＣＭＹＫ色相誤差をデジタルプロファイル化して基本補正することにより、色相誤差を最小限に抑え、絶対値による色相校正を確立している。
【００４５】
本発明の色補正方法は、デジタルデータと実物との間の色相誤差を測色機などで補正値を算出し、これを元のデジタルデータと置換することによって相対値である補正目的値で局部的に補正し、さらに画像全体について絶対値による補正の際に、常に色比較パラメータの色相データを該パラメータの基準値と対応させることで安定した基本補正を行う。このため、本発明の色補正方法では、多重補正を繰り返しても桁落ち現象が殆ど発生せず、色補正を繰り返してもデータの劣化がなく、リニアーな色表現を再生することができる。
【００４６】
本発明の色補正方法は、ターゲット画像の基本補正後に、リニアーな色表現の再生のために、追加補正として画像全体の濃度補正およびハイライトとシャドウ補正を行う。さらに、人間の感覚係数および種々の個人要素である好み係数を追加することにより、目的色と現実の色とのミスマッチを回避し、現物の色彩と完全にマッチした画像を得ることが可能となる。
【図面の簡単な説明】
【図１】本発明に係る色補正方法を測色機による実測値と補正目的値に基づいて行う場合を示すフローチャートである。
【図２】Ｃ画像の濃度マトリックスを示すグラフである。
【図３】本発明の色補正方法を補正目的値に基づいて行う場合を示すフローチャートである。
【図４】本発明の色補正方法を画像編集ソフトのアドインソフトとする例におけるモニタ画面である。
【符号の説明】
１  画像編集ソフト
２  画像データ
３  ウィンドウ
５  値記入欄
【図１】
0003590568.tif 000002
【図２】
0003590568.tif 000003
【図３】
0003590568.tif 000004
【図４】
0003590568.tif 000005